(57)【要約】【課題】  スパウト付容器にキャップを装着した状態で、内容物を加熱殺菌しても全く水が残留せず、かつ、スパウトにアダプターを簡易に装着出来るスパウトを提供する。【解決手段】  容器２に取り付けるスパウト１の注出筒４の外周に、それぞれネジ山条数の異なる２つのネジ７、８を螺刻したネジ部を形成し、  前記ネジ部の注出端側のネジ山径φ2 を小径部とし、前記ネジ部の容器側のネジ山径φ1 を大径部とすることによって、ネジ山の条数の多い一方のネジに密封性と共に易着脱性を要求するアダプターをネジ装着出来、一方のネジよりネジ山の条数の少ない他方のネジに高密封性を要求するキャップ１１をネジ装着出来るようにすることで、キャップ１１を装着したスパウト付容器３の内容物を加熱滅菌しても全く水が残留せず、スパウト１にアダプターを簡易に素速く装着出来て、操作性が良好となる。【選択図】      図２
2006273425.tif 000002
【特許請求の範囲】
【請求項１】
容器に取り付けるスパウトの注出筒の外周に、それぞれネジ山条数の異なる２つのネジ
を螺刻したネジ部を形成し、
前記ネジ部の注出端側のネジ山径を小径部とし、前記ネジ部の容器側のネジ山径を大径
部としたことを特徴とするスパウトの構造。                                        
【請求項２】
前記大径部のネジ山高さを、前記小径部のネジ山高さより高くして、
前記大径部のネジ山径を前記小径部のネジ山径より大径に形成した請求項１記載のスパ
ウトの構造。
【請求項３】
前記大径部の注出筒の外径を、前記小径部の注出筒の外径より太くして、
前記大径部のネジ山径を前記小径部のネジ山径より大径に形成した請求項１記載のスパ
ウトの構造。
【請求項４】
該小径部のネジ山条数が、該大径部のネジ山条数より多い条数に形成されている請求項
１ないし３のいずれか１項記載のスパウトの構造。
【請求項５】
前記小径部のネジ山が４条ネジであり、前記大径部のネジ山が１条または２条ネジであ
る請求項４記載のスパウトの構造。
【請求項６】
前記ネジ山条数の少ないネジ部には密封部材が螺着され、前記ネジ山条数の多いネジ部
には、該密封部材が螺脱された後に接続部材が螺着されるようにされた請求項１ないし５
のいずれか１項のスパウトの構造。
【請求項７】
前記小径部と大径部の間に、小径部より大きく大径部より小さい径のネジ部を設けて成
る請求項１ないし６のいずれか１項記載のスパウトの構造。
【請求項８】
前記接続部材はアダプターであり、前記密封部材はキャップである請求項６または７記
載のスパウトの構造。
【請求項９】
前記注出筒の注出端をシール材にて密封してなる請求項１ないし８のいずれか１項記載
のスパウトの構造。
【請求項１０】
前記キャップの天板内面に前記注出筒の注出端に対応した環状シール部を設けた請求項
８または９記載のスパウトの構造。
【請求項１１】
前記容器はパウチである請求項１ないし１０のいずれか１項記載のスパウトの構造。
【発明の詳細な説明】
【技術分野】
【０００１】
本発明は、容器に取り付けるスパウトの構造に関するもので、より詳しくは、スパウト
の注出筒の外周面にネジ山の条数の異なる２種類のネジを螺刻してなり、一方のネジに易
着脱性の接続部材をネジ装着出来るようにし、他方のネジに高密封性の密封部材をネジ装
着出来るようにしたスパウトの構造に関する。
【背景技術】
【０００２】
スパウトは、例えば袋状容器であるパウチ等に密封状態で取り付けるもので、このスパ
ウトを通してあるいは他の開口部を通して、パウチ等内に内容物としての液状物等を充填
すると共に、パウチ等内の加熱滅菌した液状物等を取り出すためのものである。このスパ
ウトの構造として下記に示すような技術が知られている。
【０００３】
【特許文献１】特開２００２−１０４４５３号公報
【０００４】
この特許文献１のスパウト５０の構造は、図９、１０に示すように、パウチの側部に溶
着する取付基部５１と、この取付基部５１から外方に向かって延び外周面にネジ山５２を
有する注出筒５３と、この注出筒５３の注出端に溶着するシール材５４と、注出筒５３の
ネジ山５２にネジ装着するキャップ５５と、このキャップ５５の天板内面に設けて注出筒
５３の注出端に液密に当接する環状シール部５６と、を備えてなるものである。
【０００５】
このスパウト５０の構造によれば、注出筒５３の注出端にシール材５４を溶着し、且つ
、この注出筒５３にキャップ５５をネジ装着する二重のシール構造とし、その上さらに、
シール材５４をキャップ５５の天板に設けた環状シール部５６により押さえ付けている。
したがって、シール材５４の溶着をそれほど強くする必要がなく、注出筒５３の注出端か
らシール材５４を容易に剥がせて利便性が高まり、また、環状シール部５６によりシール
材５４上に加熱滅菌に由来する水の残留がなく、さらに、スパウトの注出筒５３にキャッ
プ５５をネジ装着することでリシールが可能となる。
【発明の開示】
【発明が解決しようとする課題】
【０００６】
特許文献１のスパウト５０の構造は、注出筒５３からシール材５４を容易に剥がせて利
便性が高く、シール材５４上に水の残留がないという特徴があり一般に多用されている。
しかし、密封性を高めるために、注出筒５３に対するキャップ５５のネジ込み量を多くし
てあるため、開封後に注出筒５３にアダプター等を装着する際にも、密封性をそれほど必
要としないのにネジ込み量を多くしなければならず、アダプター等の着脱の際にも、密封
時と同様のネジ込み量が必要になるという煩わしさがある。
【０００７】
そこで、本発明の目的は、スパウトにキャップを装着した状態で、そのスパウトに取り
付けた容器の内容物を加熱滅菌する際には、シール材とキャップとの間に水が残留しない
密封性を維持し、さらに、スパウトからキャップ及びシール材を外した後、スパウトにア
ダプターを装着する際には、簡易に素速く行うことができるスパウトの構造を提供するこ
とにある。
【課題を解決するための手段】
【０００８】
本発明は、上記目的を達成するために提案されたものであって、下記の構成からなるこ
とを特徴とするものである。
すなわち、本発明によれば、容器に取り付けるスパウトの注出筒の外周に、それぞれネ
ジ山条数の異なる２つのネジを螺刻したネジ部を形成し、前記ネジ部の注出端側のネジ山
径を小径部、前記ネジ部の容器側のネジ山径を大径部としたことを特徴とするスパウトの
構造が提供される。
【０００９】
また、本発明によれば、前記大径部のネジ山高さを、前記小径部のネジ山高さより高く
して、前記大径部のネジ山径を前記小径部のネジ山径より大径に形成した上記スパウトの
構造が提供される。
【００１０】
また、本発明によれば、前記大径部の注出筒の外径を、前記小径部の注出筒の外径より
太くして、
前記大径部のネジ山径を前記小径部のネジ山径より大径に形成した上記スパウトの構造
が提供される。
【００１１】
また、本発明によれば、該小径部のネジ山条数が、該大径部のネジ山条数より多い条数
に形成されている上記スパウトの構造が提供される。
【００１２】
また、本発明によれば、前記小径部のネジ山が４条ネジであり、前記大径部のネジ山が
１条または２条ネジである上記スパウトの構造が提供される。
【００１３】
また、本発明によれば、前記ネジ山条数の少ないネジ部には密封部材が螺着され、前記
ネジ山条数の多いネジ部には、該密封部材が螺脱された後に接続部材が螺着されるように
された上記スパウトの構造が提供される。
【００１４】
また、本発明によれば、前記小径部と大径部の間に、小径部より大きく大径部より小さ
い径のネジ部を設けて成る上記スパウトの構造が提供される。
【００１５】
また、本発明によれば、前記接続部材はアダプターであり、前記密封部材はキャップで
ある上記スパウトの構造が提供される。
【００１６】
また、本発明によれば、前記注出筒の注出端をシール材にて密封してなる上記スパウト
の構造が提供される。
【００１７】
また、本発明によれば、前記キャップの天板内面に前記注出筒の注出端に対応した環状
シール部を設けた上記スパウトの構造が提供される。
【００１８】
また、本発明によれば、前記容器はパウチである上記スパウトの構造が提供される。
【発明の効果】
【００１９】
本発明のスパウトは、スパウトの注出筒におけるネジ山の条数の少ない方のネジに密封
部材をネジ装着出来るため、注出筒と密封部材との密封性が高くなるとともに、ネジ山の
条数の多い方のネジに接続部材をネジ装着出来るため、注出筒に接続部材を簡単に少ない
ネジ込み量でネジ装着することが出来る。
そのため、ひとつのスパウトで密封性と同時に素早い着脱性という、一見相反する要請
にひとつのスパウトで対応することができ、スパウトに取り付けた容器の内容物を加熱滅
菌しても、注出筒の注出端と密封部材との間に水が入らず、かつ、残ることもないと共に
、注出筒から密封部材を外した後、接続部材を簡易に素速く着脱出来るという異質の効果
を奏し得る。
【００２０】
また、注出筒をストレートに形成すれば、キャップからの水抜けが良くなるばかりでな
く、取付基部との接合部も細くすることができ、スパウト全体をコンパクトにすることが
できる。
【００２１】
また、注出筒の注出端をシール材によって密封し、その上にキャップをネジ装着すれば
、注出筒の注出端を二重に密封することになり、密封性が一層優れたものになる。
さらに、注出筒の注出端を密封してあるシール材をさらにキャップの環状シール部によ
り押さえ付けることにより、なお一層注出筒の注出端とシール材との間に水が入らず、シ
ール材上に水が残ることもない。
【発明を実施するための最良の形態】
【００２２】
以下に、図面を参照して本発明のスパウトの実施の形態を形態を説明する。
図１は本発明のスパウトをパウチに取り付けた状態の正面図、図２は本発明の実施例１
を示すスパウトの半裁縦断面図、図３は本発明の実施例２を示すスパウトの半裁縦断面図
、図４は図３のスパウトの平面図、図５は本発明のスパウトの底面図、図６は図３のスパ
ウトにキャップをネジ装着した状態の半裁縦断面図、図７は図３のスパウトにアダプター
をネジ装着した状態の半裁縦断面図である。これらの図において、スパウト１は、容器２
の側部に溶着されてスパウト付容器３を形成している。
【００２３】
本発明のスパウトは、容器２に取り付けるスパウト１の注出筒４の外周に、それぞれネ
ジ山条数の異なる２つのネジ７ａ，８ａを螺刻したネジ部を形成し、前記ネジ部の注出端
側を小径部Ｓ２、前記ネジ部の容器側を大径部Ｓ１とした構成に重要な特徴がある。
前記ネジ部の注出端４ａ側を小径部Ｓ２に構成し、前記ネジ部の容器側を大径部Ｓ１と
するための手段としては、前記大径部のネジ山高さＨ１を前記小径部のネジ山高さＨ２よ
り高く形成する態様（実施例１）、または、前記注出筒の容器側外径を太くして大径部の
ネジ山径φ1 を前記小径部のネジ山径φ2 より大径に形成する態様（実施例２）がある。
実施態様においては、図２に示したように注出筒はストレートに形成されていてもよく、
あるいは図３、４、６、７に示したように、小径部と大径部が段部を介して形成されてい
てもよい。
【００２４】
本発明においてネジ山径とは、図２、３に示したように、一方のネジ山の外端から反対
側のネジ山の外端までの長さであり、大径部のネジ山径はφ1 、小径部のネジ山径はφ2 
で示した。また、ネジ山の高さとは、同じく図２に示したようにネジの谷から山までの高
さを言い、大径部のネジ山高さをＨ１、小径部のネジ山高さをＨ２で示した。
図２は、本発明の実施例１の態様を示したものであり、大径部のネジ山高さＨ１を前記
小径部のネジ山高さＨ２より高く形成し、小径部のネジ山が４条ネジに形成され、大径部
のネジ山が２条ネジに形成されている。
【００２５】
この態様では、注出筒がストレートに形成されていることにより、キャップからの水抜
けが良く、かつ、取付基部２０との接合部も細くすることができるため、スパウト全体を
コンパクトに形成することができる。
前者の小径部のネジ７の４条ネジは、ネジ山７ａのねじ込み角度が高く、わずかなねじ
込み量でネジ装着出来る特性があって操作性が良い反面、密封性が低く高密封性を得るに
は高トルクを必要とする。後者のネジ８の２条ネジは、ネジ山８ａのねじ込み角度が低く
、ねじ込み量を多くしないとネジ装着出来ないが、その反面密封性が高く低トルクでも高
密封性を得られ、緩みにくい特性がある。
【００２６】
なお、実施例１では、一方のネジ７が４条ネジ、他方のネジ８が２条ネジの例を説明し
たが、上記大径部と小径部とで異なる条数のネジが形成されているという条数の規定が満
たされる限りこれに限定されるものではない。つまり、ネジ７、８のいずれか一方が密封
性をそれほど要求されないがネジ装着が容易であり、いずれか他方がネジ装着の容易性を
あまり要求されないが高密封性であれば良い。また、逆に注出筒４の小径部Ｓ２を２条ネ
ジのネジ８として、小径部Ｓ２にキャップ１１がネジ装着され、大径部Ｓ１を４条ネジの
ネジ７として、大径部Ｓ１にアダプター１２がネジ装着されても良い。なお、複数のアダ
プターを使い分けたい場合などには、注出筒に、さらに異なるネジ山径のネジ部を設けて
もよい。
【００２７】
図３は、小径部Ｓ２と大径部Ｓ１とが注出筒の段部を介して形成されている態様を示し
たものであり、このスパウト１の構造は、容器２に取り付けるスパウト１の注出筒４を、
その注出端４ａ側を注出筒小径部５に形成し容器２側を注出筒大径部６に形成して、これ
ら小径部５及び大径部６の外周面に、ネジ山の条数の異なる２種類のネジ７、８をそれぞ
れ螺刻して小径部Ｓ２及び大径部Ｓ１をなし、ネジ山７ａの条数の多い一方のネジ７に密
封性と共に易着脱性を要求する接続部材９をネジ装着出来、一方のネジ７よりネジ山８ａ
の条数の少ない他方のネジ８に高密封性を要求する密封部材１０をネジ装着出来るように
したものである。
【００２８】
また、小径部Ｓ２と大径部Ｓ１の間に、小径部より大きく大径部より小さい径のネジ部
を設け（図示せず）、多段の係合部を備えたものにすることも出来る。この新たなネジ部
は、注出筒小径部５の容器側に小径部Ｓ２よりネジ山高さの高いネジを螺刻する、注出筒
大径部６の注出端側に大径部Ｓ１よりネジ山高さの低いネジを螺刻する、あるいは、注出
筒小径部５と注出筒大径部６の間に新たな段部を設けてネジを螺刻するなど、本発明に基
づいて形成出来る。このスパウト付容器３におけるスパウト１の注出筒４には、図６に示
すように、密封部材１０であるキャップ１１がネジ装着されたり、図７に示すように、必
要に応じて接続部材９であるアダプター１２がネジ装着されたりする。
【００２９】
前記容器２の種類は限定されるものではないが、図１に示した例ではパウチ（以下、「
パウチ２」という）であり、したがって、上述のスパウト付容器３であるスパウト付パウ
チ（以下、「スパウト付パウチ３」という）を形成する。このパウチ２は、レトルト食品
などの内容物を収容するものであり、ガス並びに液体に対してバリアー性があり、さらに
、加熱滅菌に耐えうる耐熱性を備えた材料にて構成されている。そして、パウチ２は、内
容物としてチューブを通して生体の消化器官に直接投与される栄養剤等の場合に好ましく
使用される。
【００３０】
前記スパウト１は、パウチ２の側部に取り付けるための取付基部２０と、この取付基部
２０に直立している注出筒４とからなり、この取付基部２０にパウチ２の側部を溶着して
いる。一方、注出筒４には、上述のように小径部Ｓ２と大径部Ｓ１とが設けられ、小径部
Ｓ２はネジ山７ａを有する一方のネジ７から形成され、大径部Ｓ１にはネジ山８ａを有す
る方のネジ８から形成されている。実施例２では、注出筒小径部５に螺刻された一方のネ
ジ７は４条ネジであり、注出筒大径部６に螺刻された方のネジ８は１条ネジである。
【００３１】
さらに、前記ネジ７、８には水抜きスリット７ｂ、８ｂが設けられて、後に詳述する加
熱滅菌の際、侵入した水を抜くことが出来る。
また、前記注出筒４の前記注出端４ａには、図５に示すように、シール材２１が貼られ
密封される。このシール材２１は、剥がし片２１ａがあり、この剥がし片２１ａを避けて
前記一方のネジ７のネジ山７ａが設けられている。そして、このシール材２１は、パウチ
２内に前記栄養剤を収容した後、加熱滅菌するがその際注出端４ａから物質の出入りを防
ぎ、さらに輸送、保管中の異物侵入を防ぐためのものである。
【００３２】
図６に示すように、前記密封部材１０である前記キャップ１１は、前記スパウト１の大
径部Ｓ１のネジ８にネジ装着されるものであり、天板２２とスカート部２３とからなる。
このスカート部２３には、前記ネジ８の１条ネジ（実施例１の場合は２条ネジ）に沿うネ
ジ２４が螺刻され、大径部Ｓ１にキャップ１１がネジ装着される。天板２２には、その内
面に注出筒４の注出端４ａに沿う環状シール部２５が設けられ、大径部Ｓ１にキャップ１
１がネジ装着された際、注出端４ａを密封してあるシール材２１をさらに環状シール部２
５により押さえ付けていることになる。したがって、なお一層注出端４ａとシール材２１
との間から水が入らず、シール材２１上に水が残ることもない。さらに、なお一層注出端
４ａとシール材２１との密着度を必要以上に高くする必要がない。
【００３３】
図７に示すように、前記接続部材９である前記アダプター１２は、前記スパウト１の小
径部Ｓ２のネジ７にネジ装着されるものであり、キャップ本体３０と、キャップ本体３０
の天板３１に突設されたチューブ継手３２とからなる。キャップ本体３０のスカート部３
３には、前記ネジ７の４条ネジに沿うネジ３４が螺刻され、小径部Ｓ２にアダプター１２
がネジ装着される。天板３１には、その内面に注出筒４の注出端４ａ内周に嵌合するイン
ナーリング３５が設けられ、小径部Ｓ２にアダプター１２がネジ装着された際、液状内容
物が漏れないようになっている。チューブ継手３２は、カテーテルなどのチューブが接続
され、生体の消化器官に栄養剤等の液状内容物が注入される。
【００３４】
スパウトのネジ部の下の注出筒外周には、充填設備等でスパウト（またはスパウト付容
器）を搬送する際に把持するための把持部１５が形成されている。把持部１５の形状は、
図８（ａ）に示すように注出筒に段差を設けて把持部とする形態（実施例１の形態）が好
適であるが、図８（ｂ）に示すように断面四角形状に突出させた形態（実施例２の形態）
、あるいは段差と突出を組み合わせて把持面積を確保するようにした形態等でもよい。突
出させる場合は、図８（ｃ）に示すようにネジ部に向かう面を傾斜させると、水抜けがよ
くなる。また、把持部は把持・搬送操作に支障のない程度に断続的に設けてもよい。
【００３５】
次に、上記構成になるスパウト１の使用方法を述べる。
まず、図６に示すように、スパウト１の注出筒４の注出端４ａにシール材２１を溶着な
どの手段により貼り付け密封し、さらに、大径部Ｓ１にキャップ１１をネジ装着するが、
この部分は１条または２条ネジであるため密封性の高いネジ装着ができる。したがって、
注出筒４の注出端４ａは、シール材２１及びその上から１条ネジ効果に加えて環状シール
部２５により押さえ付けているから、多重に密封していることになる。この多重密封状態
のスパウト１をパウチ２の側部に溶着などの手段により取り付ける。その後、パウチ２の
開口部（図示せず）から液状内容物を充填し、その開口部を閉じる。次に、レトルト（加
圧滅菌用釜）に入れ加熱滅菌する。
【００３６】
この滅菌操作に由来する水は、環状シール部２５によりシール材２１上に入らず残留も
せず、さらに注出筒４とキャップ１１との間に存在しても、水抜きスリット７ｂ、８ｂに
よりスムーズに抜けて残留しない。勿論、この多重密封により、注出端４ａを通して液状
内容物及び水などの外部物質の出入りがないことは言うまでもない。この栄養剤入りのス
パウト付パウチ３には、通常、アダプター１２などの付属品を付けて包装し、最終製品と
して流通ルートに乗せるものであるが、スパウト付パウチ３と付属品をそれぞれ独立した
製品として流通させてもよい。なお、パウチ２の側部にスパウト１を溶着などの手段によ
り取り付け、スパウト１の注出筒４の注出端４ａから液状内容物を充填した後、注出端４
ａにシール材２１を貼り、さらに、大径Ｓ１にキャップ１１をネジ装着して、レトルトに
入れ加熱滅菌してもよい。
【００３７】
使用に際しては、スパウト１の注出筒４からキャップ１１を外し、注出筒４の注出端４
ａからシール材２１を剥がし、小径部Ｓ２にアダプター１２をネジ装着するが、この部分
が４条ネジであるため簡単にネジ装着できる。そして、アダプター１２のチューブ継手３
２にカテーテルなどのチューブを接続し、注出筒４を下にして液状内容物入りのスパウト
付パウチ３を吊り金具につり吊り下げれば、生体の消化器官に栄養剤等の液状内容物を直
接注入することが出来る。また、注入の必要性が無くなった場合は、吊り金具からスパウ
ト付パウチ３を外し、注出筒４からアダプター１２を容易に外せて、キャップ１１をネジ
装着すれば内容物をこぼすことなく廃棄することが出来る。
【００３８】
次に実施例２に示したスパウトの構造の優位性について、実証する。
小径部のネジ山を１条とし、大径部のネジ山を４条とするスパウトを図３に示した形状
で作成した。このスパウトの口内径はφ２２．８ｍｍ，口外径はφ２５ｍｍであり、１条
ネジの山径はφ３０ｍｍ，４条ネジの山径はφ２７ｍｍである。
上記スパウトを用いて、締めトルク（ｃＮｍ）を３５０、４００、４５０とした時の、
１条ネジと４条ネジの夫々に付いて、開栓トルク（ｃＮｍ）と締め角度（°）を測定し、
結果を表１に示した。測定値はサンプル５個の平均値である。
【表１】
2006273425.tif 000003
表に示した測定結果より、下記の結論が得られた。
・開栓トルクは１条ネジが４条ネジの２倍以上大きい；
・締め角度においては、１条ネジは１回転半以上、４条ネジは半回転程度である；
・１条ネジでは締めトルクを大きくすると、開栓トルク、締め角度ともに大きくなる傾向
がある；
以上の実験からも分かるように、１条ネジは緩みにくいが、装着に手間が係るのに対し
て、４条ネジは簡単に装着出来るが、緩みやすいという、相反する特徴を持っている。
したがって、本発明は、この相反する特徴を活かして、不使用時には緩みにくく、装着
時には簡単に装着出来るという特性を、一つのスパウトに持たせたものであり、その技術
的意義は大きいものがある。
【産業上の利用可能性】
【００３９】
本発明のスパウトは、これを取り付けたパウチに収容した内容物をそのまま加熱滅菌し
、使用時にスパウトにアダプターなどを着脱するよう操作が伴うような場合に利用可能性
が高く、特に、パウチの内容物が栄養剤などで、医療現場など使用されるような場合に極
めて利用可能性が高くなる。
【図面の簡単な説明】
【００４０】
【図１】本発明の実施例１に示したスパウトをパウチに取り付けた状態の正面図である。
【図２】実施例１に示したスパウトの半裁縦断面図である。
【図３】実施例２に示したスパウトの半裁縦断面図である。
【図４】図３のスパウトの平面図である。
【図５】図３のスパウトの底面図である。
【図６】図３のスパウトにキャップをネジ装着した状態の半裁縦断面図である。
【図７】図３のスパウトにアダプターをネジ装着した状態の半裁縦断面図である。
【図８】把持部の形状例を（ａ）（ｂ）（ｃ）で例示した断面図である。
【図９】従来例を示す半裁縦断面図である。
【図１０】従来例を示す要部の縦断面図である。
【符号の説明】
【００４１】
１，５０                      スパウト
２                            容器（パウチ）
３                            スパウト付容器（スパウト付パウチ）
４，５３                      注出筒
４ａ                          注出端
５                            注出筒小径部
６                            注出筒大径部
７                            一方のネジ
７ａ，８ａ，５２              ネジ山
７ｂ，８ｂ                    水抜きスリット
８                            他方のネジ
９                            接続部材
１０                          密封部材
１１，５５                    キャップ
１２                          アダプター
１５                          把持部
２０，５１                    取付基部
２１，５４                    シール材
２１ａ                        剥がし片
２２，３１                    天板
２３，３３                    スカート部
２４，３４                    ネジ
２５，５６                    環状シール部
３０                          キャップ本体
３２                          チューブ継手
３５                          インナーリング
Ｓ１                          大径部
Ｓ２                          小径部
【図１】
2006273425.tif 000004
【図２】
2006273425.tif 000005
【図３】
2006273425.tif 000006
【図４】
2006273425.tif 000007
【図５】
2006273425.tif 000008
【図６】
2006273425.tif 000009
【図７】
2006273425.tif 000010
【図８】
2006273425.tif 000011
【図９】
2006273425.tif 000012
【図１０】
2006273425.tif 000013